(57)【特許請求の範囲】
【請求項１】
各々が複数のディスクデバイスを含む複数のストレージサブシステムと、前記ストレージサブシステムのディスクデバイスにアクセスするサーバ装置と、前記ストレージサブシステムおよびサーバ装置間を接続するファイバチャネルおよびファイバチャネルスイッチを含むストレージエリアネットワークと、を含むストレージエリアネットワークシステムのアクセス制御方法であって、
前記ストレージエリアネットワークシステム内における複数のディスクデバイスに関する前記サーバ装置が認識およびアクセスする範囲を設定するための共通の管理情報を、前記ストレージサブシステムに接続される管理端末装置から、個々のストレージサブシステム内の一つの管理用のディスクデバイスに格納し、
前記ファイバチャネルスイッチは、前記ストレージサブシステム内の前記管理用のディスクデバイスから読み出した前記管理情報を用いて、前記サーバ装置からの前記ディスクデバイスに関する認識要求に対しては、当該要求元のサーバ装置による複数のディスクデバイスの認識およびアクセスの範囲を、当該サーバ装置の前記ファイバチャネルに接続するポートに付与されたＷＷＮに対応付けられた特定のディスクデバイスのグループに制限するように制御することを特徴とするストレージエリアネットワークシステムのアクセス制御方法。
【請求項２】
請求項１記載のストレージエリアネットワークシステムのアクセス制御方法において、
前記管理端末装置から設定可能な前記管理情報として、前記ストレージエリアネットワークシステムに含まれる複数のストレージサブシステムを少なくとも一つの第１のグループに分けて管理するための第１の管理情報、および前記第１のグループ内の複数のディスクデバイスを少なくとも一つの第２のグループに分けて管理するための第２の管理情報を含み、
前記ファイバチャネルスイッチは、前記ストレージサブシステム内の前記管理用のディスクデバイスから読み出した前記管理情報を用いて、前記サーバ装置からの前記ディスクデバイスに関する認識要求に対しては、当該要求元のサーバ装置による複数のディスクデバイスの認識およびアクセスの範囲を、当該サーバ装置のポートのＷＷＮに対応付けられた特定の前記第１のグループに属するストレージサブシステムまたは前記第２のグループに属するディスクデバイスの一方または両方に制限するように制御することを特徴とするストレージエリアネットワークシステムのアクセス制御方法。
【請求項３】
請求項１記載のストレージエリアネットワークシステムのアクセス制御方法において、
前記ファイバチャネルスイッチは、前記サーバ装置毎のポートのＷＷＮに応じて前記ストレージサブシステムのディスクデバイスに対するアクセスの経路を制限する経路制御を行い、前記サーバ装置からの前記ストレージエリアネットワークシステム内の複数のディスクデバイスに関する認識要求に対しては、前記管理情報またはそれを変換生成した情報の参照に基づき、前記管理情報が格納された前記管理用のディスクデバイスへ制限してアクセスされるように、当該サーバ装置から当該ストレージサブシステムへのアクセスの経路を設定し且つその他の経路をアクセス制限設定する経路制御を行うことを特徴とするストレージエリアネットワークシステムのアクセス制御方法。
【請求項４】
請求項１記載のストレージエリアネットワークシステムのアクセス制御方法において、
前記管理端末装置からの前記管理情報の設定の際、同じグループに属する複数のストレージサブシステムの設定において、一つのストレージサブシステム内には前記管理情報を格納する前記管理用のディスクデバイスが主デバイスとして設定され、他のストレージサブシステム内には前記管理情報を格納する前記管理用のディスクデバイスが従デバイスとして設定され、
前記同じグループにおける前記主デバイスを持つストレージサブシステムと前記従デバイスを持つストレージサブシステムとの間での同期処理により前記管理情報の内容が一致させられ、
前記ファイバチャネルスイッチは、前記同じグループのストレージサブシステムのうちいずれかから前記管理情報を収集し、収集した情報をもとに前記制御のためのアクセス経路情報を変換生成し、前記サーバ装置からの認識要求に対しては、前記アクセス経路情報をもとにアクセス頻度の低い前記管理用のディスクデバイスおよびそのストレージサブシステムへの経路を選定してアクセス要求させ且つその他の経路を制限し、当該アクセス要求を受けたストレージサブシステムから当該要求元のサーバ装置に対し当該管理用のディスクデバイスのみへのアクセスを許可し、
前記サーバ装置は、前記許可された管理用のディスクデバイスへアクセスして読み取った情報をもとに実際に使用するディスクデバイスへアクセス要求し、当該アクセス要求に対し前記ファイバチャネルスイッチは、前記アクセス経路情報をもとに当該ディスクデバイスおよびそのストレージサブシステムへの経路を選定してアクセス要求させ且つその他の経路を制限し、当該アクセス要求を受けたストレージサブシステムから当該サーバ装置に対し当該ディスクデバイスへのアクセスを許可することを特徴とするストレージエリアネットワークシステムのアクセス制御方法。
【発明の詳細な説明】
【０００１】
【発明の属する技術分野】
本発明は、ストレージ技術に関し、特に、コンピュータシステムにおける記憶デバイスの管理および制御に関し、より詳しくは、記憶装置を含むストレージサブシステムおよびファイバチャネルスイッチ、およびサーバによって構成されるストレージエリアネットワークシステム等に適用して有効な技術に関する。
【０００２】
【従来の技術】
たとえば、インターネットの普及等の情報化社会の進展にともなって、各種データベースやＷＥＢサーバ向け等のデータ記憶装置の大容量化、大規模化も進展しており、一つのホストの配下に専用の記憶サブシステムを接続した旧来の構成に代わって、複数の記憶サブシステムを専用の情報ネットワークを介して相互に接続することで、外部から接続される複数のホストに対して個々の記憶サブシステムを意識させることなく、論理的に一つの大きな記憶装置を構築するストレージエリアネットワークシステムの概念が知られている。
【０００３】
このようなストレージエリアネットワーク環境を構築し、多数のディスクデバイス（論理ユニットや論理ボリューム等）が存在するシステムにおいて、サーバ起動時やディスクデバイスの認識処理の実行時に、そのストレージエリアネットワーク環境に存在するディスクデバイスの認識を行うが、サーバが実際にそのディスクデバイスを利用するか否かに関わらずアクセス可能な全てのディスクデバイスを認識しようとする。
【０００４】
【発明が解決しようとする課題】
多数のディスクデバイスが存在するストレージエリアネットワーク環境を有するシステムにおいて、サーバ起動時やディスクデバイスの認識処理の実行時に、当該サーバが利用しないディスクデバイスの認識の為に、サーバ起動やディスク認識に多大なる時間が必要となったり、サーバや当該サーバのオペレーティングシステムの能力や性能によっては認識可能なディスクデバイス数に限りがあり、それを超えるとサーバが動作不能となる場合がある。
【０００５】
本発明の目的は、ストレージエリアネットワークシステムにおいて、サーバによるディスクデバイスの認識時間の短縮、不必要なディスクデバイスの認識による起動障害等のエラーの回避を実現することにある。
【０００６】
【課題を解決するための手段】
本発明は、各々が複数の記憶装置を含む複数の記憶サブシステムと、記憶サブシステム間を接続する情報ネットワークと、を含むストレージエリアネットワークシステムのアクセス制御方法であって、ストレージエリアネットワークシステム内における複数の記憶装置の認識範囲やアクセス経路等を設定する管理情報を、個々の記憶サブシステム内の一つの記憶装置に格納し、この記憶装置から読み出される管理情報を用いて記憶装置の認識範囲を制御するものである。
【０００７】
より具体的には、情報ネットワークで相互に接続されたストレージサブシステム内に多数のディスクデバイスが存在するストレージエリアネットワーク環境を有するシステムで、個々のサーバが利用するディスクデバイスやアクセス経路をストレージサブシステムおよびディスクデバイス、ファイバチャネルスイッチ、サーバに共通の管理情報としてストレージサブシステムの一部（特定の専用ディスクデバイス）で一元管理し、システム上の各々の装置がその管理情報を取得し制御情報として利用する事により、サーバのディスクデバイスへの効率よいアクセスを可能とする。
【０００８】
【発明の実施の形態】
以下、本発明の実施の形態を図面を参照しながら詳細に説明する。
【０００９】
図１は、本発明の一実施の形態である制御方法を実施するストレージエリアネットワークシステムを含む情報処理システムの構成例を示す概念図である。
【００１０】
本実施の形態の情報処理システムは、多数のファイバチャネルスイッチ１０１と多数のストレージサブシステム１０２を含み、各ストレージサブシステム１０２には、物理ボリューム、物理ディスクデバイス、論理ボリュームあるいは論理ディスクデバイス（ＬＵ）等の多数（たとえば数千個以上）のディスクデバイス１０３が格納されるストレージエリアネットワークシステムと、このストレージエリアネットワークシステムに対してファイバチャネルスイッチ１０１を介して接続された多数のサーバ１００から構成されている。
【００１１】
サーバ１００とファイバチャネルスイッチ１０１の間およびファイバチャネルスイッチ１０１同士の間およびファイバチャネルスイッチ１０１とストレージサブシステム１０２の間はファイバチャネル１０５にて接続されておりファイバチャネル１０５によるネットワークを構築している。
【００１２】
また、個々のストレージサブシステム１０２およびファイバチャネルスイッチ１０１は、ファイバチャネル１０５とは別のＬＡＮ等のネットワーク２００を介してストレージサブシステム管理端末１０４に接続されており、後述のような各種の情報の設定等の保守管理が行われる。
【００１３】
ストレージサブシステム１０２のファイバチャネル１０５を接続する接続ポート１０２ａ毎に利用するディスクデバイス１０３を割り当てる事によりサーバ１００がファイバチャネル１０５とファイバチャネルスイッチ１０１を介してストレージサブシステム１０２の接続ポート１０２ａ単位で割り当てられたディスクデバイス１０３にアクセス可能となる。
【００１４】
この時、本実施の形態の場合には、ストレージエリアネットワークシステム上のストレージサブシステム１０２またはディスクデバイス１０３は資源として管理され、その管理単位として管理対象とする単一または複数のストレージサブシステムの集まりを資源管理グループ１０とし、一意の固有名称を割り当てる。資源管理グループ１０はストレージネットワークシステム上に資源が重複しないようにして複数設定可能とする。
【００１５】
次に資源管理グループ１０に所属するストレージサブシステム１０２のディスクデバイス１０３をその用途毎に利用されるディスクデバイス１０３の集まりとして資源用途グループ１１とし、一意の固有名称を割り当てる。資源用途グループ１１は異なるストレージサブシステム１０２にまたがってディスクデバイス１０３を纏める事ができる。
【００１６】
資源管理グループ１０に所属するストレージサブシステム１０２は必ず１つの資源情報を管理する専用のディスクデバイスとして、資源情報管理主デバイス（情報管理マスタデバイス）１２あるいは資源情報管理従デバイス（情報管理レプリカデバイス）１３のいずれかを持つ。資源情報管理主デバイス１２あるいは資源情報管理従デバイス１３のどちらを持つかの条件としては、資源管理グループ１０に所属するストレージサブシステム１０２が単一の場合、そのストレージサブシステム１０２が持つ資源情報を管理する専用のディスクデバイスを資源情報管理主デバイス１２とする。
【００１７】
また、資源管理グループ１０に所属するストレージサブシステム１０２が複数ある場合には、そのうちの１台が資源情報管理主デバイス１２を持ち、それ以外のストレージサブシステム１０２は資源情報管理従デバイス１３を持ち、同一の資源管理グループ１０の資源情報管理主デバイス１２を持つストレージサブシステム１０２と接続されているファイバチャネル１０５により同期処理を行い主デバイスの情報を従デバイスに反映させる。
【００１８】
これにより、資源管理グループ１０毎に１つの管理デバイス（資源情報管理主デバイス１２または資源情報管理従デバイス１３）を管理する事により当該資源管理グループ１０の全体の管理を可能とする。
【００１９】
本実施の形態では、資源管理グループ１０および資源用途グループ１１で管理するディスクデバイス１０３へのアクセス経路を管理および制御する為に、サーバ１００（接続ポート１００ａ）、ファイバチャネルスイッチ１０１（接続ポート１０１ａ）、ストレージサブシステム１０２（接続ポート１０２ａ）の各々に、ファイバチャネル１０５上で当該接続ポート単位に割り当てられる一意のアドレスであるＷＷＮ（Ｗｏｒｌｄ  Ｗｉｄｅ  Ｎａｍｅ）を使用する。
【００２０】
資源情報管理主デバイス１２および資源情報管理従デバイス１３には、図３に示すような登録情報フォーマットにて、デバイスマップ３００とサーバセキュリティテーブル４００が格納され、サーバ１００の接続ポート１００ａのＷＷＮ等の登録にて資源情報等を一元管理する。
【００２１】
すなわち、デバイスマップ３００は、資源管理グループ１０および資源用途グループ１１に帰属するディスクデバイス１０３を設定するものであり、資源管理グループ名３０１、資源用途グループ名３０２、所属するストレージサブシステム１０２の製造シリアル番号等の一意のストレージサブシステムＩＤ３０３、ストレージサブシステム１０２の接続ポート１０２ａのＷＷＮ３０４、実際のディスクデバイス１０３を示す対象ＬＵ番号３０５等からなる。
【００２２】
サーバセキュリティテーブル４００は、サーバ１００毎にアクセスが許可される資源管理グループおよび資源用途グループを設定するものであり、当該サーバ１００が利用する資源管理グループ１０（資源管理グループ名４０１）および資源用途グループ１１（資源用途グループ名４０２）、および当該グループへのアクセスが許可されたサーバ名を示すアクセス許可サーバ４０３、当該サーバ１００の接続ポート１００ａの接続ポートＷＷＮ４０４、等が登録される。
【００２３】
ストレージサブシステム１０２の上記に示すデバイスマップ３００やサーバセキュリティテーブル４００等の設定や制御はネットワーク２００を介してストレージサブシステム管理端末１０４から実施する。
【００２４】
また、ファイバチャネルスイッチ１０１には自身に接続されているポート上に資源情報管理主デバイス１２および資源情報管理従デバイス１３の有無を検出し、存在する資源情報管理主デバイス１２および資源情報管理従デバイス１３から直接ディスクデータとして読み取り、図４に示すようなディスクデバイス１０３へのアクセスに重点をおいたアクセス経路マップ６００等の経路情報を変換生成し、ファイバチャネルスイッチ１０１自身の記憶領域上に管理する。
【００２５】
図５は、本実施の形態のファイバチャネルスイッチ１０１の構成の一例を示す概念図である。
【００２６】
本実施の形態のファイバチャネルスイッチ１０１は、ファイバチャネル１０５を介して個々のサーバ１００やストレージサブシステム１０２、他のファイバチャネルスイッチ１０１が接続される複数の接続ポート１０１ａと、この接続ポート１０１ａ間を選択的に接続することで、サーバ１００とストレージサブシステム１０２との間の接続経路を制御するクロスバースイッチ１０１ｂ、ルーティングテーブル１０１ｅおよび後述の経路情報フォーマットテーブル１０１ｆ等の情報に基づいてクロスバースイッチ１０１ｂの動作を制御するパス制御部１０１ｃ、スイッチ全体を制御するプロセッサ１０１ｄ、ＬＡＮ等のネットワーク２００に接続されるネットワークインタフェース１０１ｉ等を備えている。
【００２７】
さらにファイバチャネルスイッチ１０１は、資源情報管理主デバイス１２あるいは資源情報管理従デバイス１３の認識および当該デバイスからのデバイスマップやサーバセキュリティテーブル等の情報の取得を行う経路情報取得部１０１ｈ、資源情報管理主デバイス１２あるいは資源情報管理従デバイス１３から取得された情報を後述のアクセス経路マップ等の情報に変換する経路情報生成部１０１ｇ、等を備えている。
【００２８】
パス制御部１０１ｃ、経路情報取得部１０１ｈ、経路情報生成部１０１ｇは、たとえば、プロセッサ１０１ｄにて実行されるソフトウェア、あるいはハードウェアとして実装することができる。
【００２９】
図４に、ファイバチャネルスイッチ１０１における経路情報フォーマットテーブル１０１ｆに格納される情報の一例を示す。
【００３０】
本実施の形態の場合、経路情報フォーマットテーブル１０１ｆには、資源情報管理主デバイス１２あるいは資源情報管理従デバイス１３のファイバチャネル上での位置を示す資源情報管理デバイステーブル５００と、アクセス経路マップ６００が格納されている。
【００３１】
資源情報管理デバイステーブル５００は、資源管理グループ名５０１、資源情報管理デバイス種別５０２、ストレージサブシステムＩＤ５０３、接続ポートＷＷＮ５０４、ＬＵ番号５０５、アクセス数５０６、等の情報が格納される。
【００３２】
資源管理グループ名５０１〜ＬＵ番号５０５の情報は、ネットワーク２００を介してストレージサブシステム管理端末１０４から設定される。
【００３３】
アクセス経路マップ６００は、サーバ名６０１、サーバの接続ポートＷＷＮ６０２、ストレージサブシステムＩＤ６０３、サブシステムの接続ポートＷＷＮ６０４、資源管理グループ名６０５、資源用途グループ名６０６、他スイッチ経由情報６０７、等の情報を含んでいる。
【００３４】
このアクセス経路マップ６００の情報は、資源情報管理主デバイス１２または資源情報管理従デバイス１３から読み出されたデバイスマップ３００およびサーバセキュリティテーブル４００に基づいて生成される。
【００３５】
図２は、本実施の形態の制御方法の作用の一例を示すフローチャートである。以下、この図２のフローチャート等を参照して、本実施の形態の制御方法の作用の一例について説明する。
【００３６】
図２の手順Ｓ１に示すように、ストレージサブシステム管理端末１０４から同一の資源管理グループ１０に属する管理対象となるストレージサブシステム１０２のいずれか１つに資源情報管理主デバイス１２を登録し、図３のデバイスマップ３００やサーバセキュリティテーブル４００に例示されるような一連の情報を登録する。
【００３７】
次に図２の手順Ｓ２に示すように、同一の資源管理グループ１０配下の他のストレージサブシステム１０２に資源情報管理従デバイス１３を登録する。
【００３８】
すると図２の手順Ｓ３に示すように、同一の資源管理グループ１０に属するストレージサブシステム１０２の資源情報管理主デバイス１２と資源情報管理従デバイス１３の間で図３に例示される設定情報の内容を一致させる同期処理を開始する。
【００３９】
その後、図２の手順Ｓ４および手順Ｓ５に示すように、ファイバチャネルスイッチ１０１は自身に接続されているポート上に資源情報管理主デバイス１２および資源情報管理従デバイス１３の有無を検出し、資源情報管理デバイステーブル５００に登録するとともに、存在する資源情報管理主デバイス１２および資源情報管理従デバイス１３からデバイスマップ３００やサーバセキュリティテーブル４００のデータを読み取り、図４に示すアクセス経路マップ６００に例示されるような経路情報を変換生成し、ファイバチャネルスイッチ１０１自身の記憶領域に登録する。
【００４０】
一方、サーバ１００には図２の手順Ｓ６に示すように、自身が利用したい資源管理グループ１０の名称（資源管理グループ名７０１）および資源用途グループ１１の名称（資源用途グループ７０２）を、自システム内記憶装置等に、図６に例示されるようなデバイス認識テーブル７００として登録しておく。
【００４１】
ブート処理時等において、サーバ１００がディスクデバイスの認識を行う（図２の手順Ｓ７）際には、サーバ１００のデバイス認識テーブル７００に登録されている資源管理グループ１０の名称（資源管理グループ名７０１）とサーバ自身の接続ポート１００ａ毎のＷＷＮ等の情報をパラメータに持つコマンド等を発行することで資源情報管理主デバイス１２或いは資源情報管理従デバイス１３へのアクセスを要求する。
【００４２】
図２の手順Ｓ８に示すように、ファイバチャネルスイッチ１０１は、当該の資源管理グループ１０に、単一のストレージサブシステム１０２のみが存在する場合にはそのサブシステムの資源情報管理主デバイス１２の経路を選定し、ストレージサブシステム１０２へのアクセス要求を中継する。当該の資源管理グループ１０に複数のストレージサブシステム１０２が存在する場合には、資源情報管理主デバイス１２或いは資源情報管理従デバイス１３のうちアクセス数５０６の少ないものを選定し、ストレージサブシステム１０２へのアクセス要求を中継する。この時、必要となる経路以外のアクセスは実施しないようにサーバ１００（の接続ポート１００ａ）のＷＷＮ（サーバの接続ポートＷＷＮ６０２）毎に動的にセキュリティ制御を実施してアクセスを制限する。
【００４３】
図２の手順Ｓ９に示すように、ストレージサブシステム１０２はサーバ１００からのアクセス要求（コマンド）に対し、当該アクセス要求に付加されている情報（コマンドパラメータ）と、管理している情報からそのサーバ１００による当該資源情報管理主デバイス１２或いは資源情報管理従デバイス１３へのアクセス可否を判断し、アクセス許可の場合はそのサーバ１００に当該資源情報管理主デバイス１２或いは資源情報管理従デバイス１３のみを認識させる。アクセス不可の場合はそのサーバ１００にその旨を通知し、ディスクアクセス処理を中止とし以降の処理は実施しない。この時、当該資源情報管理主デバイス１２或いは資源情報管理従デバイス１３以外のディスクデバイス１０３に対してはストレージサブシステム１０２がサーバ１００のＷＷＮ毎に動的にセキュリティ制御を実施してアクセスを制限する。
【００４４】
図２の手順Ｓ１０に示すように、サーバ１００は、当該資源情報管理主デバイス１２或いは資源情報管理従デバイス１３を認識できたら、資源用途グループ１１より実際にアクセスするディスクデバイス１０３を確認し、アクセス要求を出す。
【００４５】
図２の手順Ｓ１１に示すように、ファイバチャネルスイッチ１０１は経路情報から経路を選定し、アクセスに必要となる経路のみが有効となるようにサーバ１００のＷＷＮ（サーバの接続ポートＷＷＮ６０２）毎に動的にセキュリティ制御を実施し、ストレージサブシステム１０２へのアクセス要求を中継する。
【００４６】
図２の手順Ｓ１２に示すように、ストレージサブシステム１０２は、サーバ１００からのアクセス要求に対し、アクセス要求に付加されている情報と管理している情報からそのサーバが要求する資源用途グループ１１の対象となるディスクデバイス１０３へのアクセス可否を判断し、アクセス許可の場合には、当該ディスクデバイス１０３をサーバ１００に認識させる。アクセス不可の場合はそのサーバにその旨を通知し、ディスクアクセス処理を中止とし以降の処理は実施しない。当該ディスクデバイス１０３のアクセスに対してはストレージサブシステム１０２がサーバ１００のＷＷＮ（サーバの接続ポートＷＷＮ４０４）毎に動的にセキュリティ制御を実施してアクセスを制限する。
【００４７】
図３の設定例では、接続ポート１００ａのＷＷＮが“ａａａａａａａａａａａａａａ”の“Ｓｅｒｖｅｒ１”は、資源管理グループ名“ｇｒｏｕｐ０１”の資源用途グループ名“ｄａｔａｂａｓｅ”として割り当てられたストレージサブシステムＩＤ＝“００１”の中のＬＵ番号が０１，０２，０３のディスクデバイス１０３を選択的に認識して、入出力アクセス等の使用を開始することになる。
【００４８】
以上説明したように、本実施の形態によれば、ストレージエリアネットワークシステムにおいて、複数のストレージサブシステム１０２の各々に、資源情報管理主デバイス１２あるいは資源情報管理従デバイス１３のいずれかを設けて、資源管理グループ１０および資源用途グループ１１の各々に属するディスクデバイス１０３の情報を関係するサーバ１００のＷＷＮ等の情報とともに登録しておき、サーバ１００によるディスクデバイス１０３の認識処理に際しては、まず、当該資源情報管理主デバイス１２あるいは資源情報管理従デバイス１３に対して選択的にサーバ１００をアクセスさせて、当該サーバ１００に関係する資源管理グループ１０および資源用途グループ１１の各々に属するディスクデバイス１０３の情報を読み出させて当該ディスクデバイス１０３を選択的に認識させることで、個々のサーバ１００の起動時等における物理ディスク、論理ディスク、論理ボリューム等のデバイス認識時間の短縮、さらには不必要な多数のデバイスの認識による起動障害等を回避する事が可能となる。
【００４９】
また、資源管理グループ１０および資源用途グループ１１の設定情報等が格納される資源情報管理主デバイス１２あるいは資源情報管理従デバイス１３として、個々のストレージサブシステム１０２内の一つのディスクデバイス１０３を使用するので、ストレージサブシステム管理端末１０４や別のネットワーク２００等を使用せずに、ストレージエリアネットワーク環境に閉じた状態でのシステムの管理情報等の共有が可能となり、管理情報等へのアクセス効率の向上、およびセキュリティの向上等を期待できる。
【００５０】
本願の特許請求の範囲に記載された発明を見方を変えて表現すれば以下の通りである。
【００５１】
（１）ストレージサブシステムおよびディスクデバイス、ファイバチャネルスイッチ、およびサーバによって構成されるストレージエリアネットワークシステムにおいて、各々の装置が共通に認識可能なディスクデバイス管理情報を管理し、前記サーバによる前記ディスクデバイスの認識時にアクセス経路を特定してアクセスの効率化を図るディスクアクセス経路の管理および制御方法。
【００５２】
（２）項目（１）記載のディスクアクセス経路の管理および制御方法で、前記サーバ、前記ファイバチャネルスイッチ、前記ストレージサブシステムが利用する情報を格納する専用の管理ディスクを設ける事により、従来のクライアント・サーバ・ネットワークを使用せずに、前記ストレージエリアネットワークシステムの環境に閉じた情報共有を可能とするディスクアクセス経路の管理および制御方法。
【００５３】
（３）項目（１）または（２）記載のディスクアクセス経路の管理および制御方法を用いるストレージエリアネットワークシステムにおいて、ファイバチャネルに接続するポート単位に割り当てられる一意のアドレスであるＷＷＮ（Ｗｏｒｌｄ  Ｗｉｄｅ  Ｎａｍｅ）をチェックし、アクセスを行う前記サーバの接続ポート毎に認識させる前記ディスクデバイスを切り替えて、仮想的に前記サーバの接続ポート毎に個別の前記ディスクデバイスの配置を可能とするストレージサブシステムのディスクデバイス管理方法。
【００５４】
（４）項目（１）または（２）記載のディスクアクセス経路の管理および制御方法において、ストレージエリアネットワークシステムで専用の管理ディスクデバイスを認識し、その管理ディスクデバイスから直接に設定データを読み取り、その設定データを基にして前記ファイバチャネルスイッチが前記サーバと前記ストレージサブシステムとの間の経路情報を変換生成し管理するディスクアクセス経路の管理および制御方法。
【００５５】
（５）項目（４）記載のディスクアクセス経路の管理および制御方法において、変換生成したディスクアクセス経路情報を基にして、ファイバチャネルに接続するポート単位に割り当てられる一意のアドレスであるＷＷＮ（Ｗｏｒｌｄ  Ｗｉｄｅ  Ｎａｍｅ）をチェックし、アクセスを行う前記サーバの接続ポート毎に接続を確立させるディスクデバイスへのアクセス経路を切り替えて、仮想的に前記サーバの接続ポート毎に個別のディスクアクセス経路制御を可能とするディスクアクセス経路の管理および制御方法。
【００５６】
以上本発明者によってなされた発明を実施の形態に基づき具体的に説明したが、本発明は前記実施の形態に限定されるものではなく、その要旨を逸脱しない範囲で種々変更可能であることはいうまでもない。
【００５７】
【発明の効果】
ストレージエリアネットワークシステムにおいて、サーバによるディスクデバイス認識の所要時間の短縮、不必要なディスクデバイスの認識による起動障害等のエラーの回避を実現することができる、という効果が得られる。
【図面の簡単な説明】
【図１】本発明の一実施の形態である制御方法を実施するストレージエリアネットワークシステムを含む情報処理システムの構成の一例を示す概念図である。
【図２】本発明の一実施の形態であるストレージエリアネットワークシステムの制御方法の作用の一例を示すフローチャートである。
【図３】本発明の一実施の形態であるストレージエリアネットワークシステムの制御方法にて用いられる管理情報フォーマットの一例を示す概念図である。
【図４】本発明の一実施の形態であるストレージエリアネットワークシステムを構成するファイバチャネルスイッチで変換生成するアクセス経路情報フォーマットの一例を示す概念図である。
【図５】本発明の一実施の形態であるストレージエリアネットワークシステムを構成するファイバチャネルスイッチの構成の一例を示す概念図である。
【図６】本発明の一実施の形態であるストレージエリアネットワークシステムにアクセスするサーバに設定されるデバイス認識テーブルの一例を示す概念図である。
【符号の説明】
１０…資源管理グループ（第１グループ）、１１…資源用途グループ（第２グループ）、１２…資源情報管理主デバイス（マスタ）、１３…資源情報管理従デバイス（レプリカ）、１００…サーバ（アクセス要求元）、１００ａ…接続ポート、１０１…ファイバチャネルスイッチ（ネットワークスイッチ）（情報ネットワーク）、１０１ａ…接続ポート、１０１ｂ…クロスバースイッチ、１０１ｃ…パス制御部、１０１ｄ…プロセッサ、１０１ｅ…ルーティングテーブル、１０１ｆ…経路情報フォーマットテーブル、１０１ｇ…経路情報生成部、１０１ｈ…経路情報取得部、１０１ｉ…ネットワークインタフェース、１０２…ストレージサブシステム、１０２ａ…接続ポート、１０３…ディスクデバイス（記憶装置）、１０４…ストレージサブシステム管理端末、１０５…ファイバチャネル（情報ネットワーク）、２００…ネットワーク、３００…デバイスマップ、３０１…資源管理グループ名、３０２…資源用途グループ名、３０３…ストレージサブシステムＩＤ、３０４…ストレージサブシステムのＷＷＮ、３０５…対象ＬＵ番号、４００…サーバセキュリティテーブル、４０１…資源管理グループ名、４０２…資源用途グループ名、４０３…アクセス許可サーバ、４０４…サーバの接続ポートＷＷＮ、５００…資源情報管理デバイステーブル、５０１…資源管理グループ名、５０２…資源情報管理デバイス種別、５０３…ストレージサブシステムＩＤ、５０４…接続ポートＷＷＮ、５０５…ＬＵ番号、５０６…アクセス数、６００…アクセス経路マップ、６０１…サーバ名、６０２…サーバの接続ポートＷＷＮ、６０３…ストレージサブシステムＩＤ、６０４…ストレージサブシステムの接続ポートＷＷＮ、６０５…資源管理グループ名、６０６…資源用途グループ名、６０７…他スイッチ経由情報、７００…デバイス認識テーブル、７０１…資源管理グループ名、７０２…資源用途グループ。
【図１】
0004220166.tif 000002
【図２】
0004220166.tif 000003
【図３】
0004220166.tif 000004
【図４】
0004220166.tif 000005
【図５】
0004220166.tif 000006
【図６】
0004220166.tif 000007